(57)【特許請求の範囲】
【請求項１】
略等角度間隔に設けられた複数のティース（８ａ）を有する電機子コア（８）に電機子コイル（９ａ，９ｂ）を巻装して構成される両方向回転用の電機子（４）と、該電機子を挟んで該電機子の発生する磁界の方向と略直交する方向に対向配置されたマグネット（２，３）とを備え、整流中にブラシ（５ａ，５ｂ）でコンミテータ（１０）の整流子片（１１ａ〜１１ｆ）を短絡して該電機子コイルの電流方向が反転する直流機において、
前記マグネットは、磁束密度が略均一な主磁束部（２ａ，３ａ）と、該主磁束部の各端部から周方向一側及び他側にそれぞれ延出形成され該端部において弱磁束部を有するとともに周方向外側に向かって磁束が漸増する延長部（２ｂ，２ｃ，３ｂ，３ｃ）とを有し、
各回転方向において整流開始時に当該整流に係る電機子コイルが巻装されるティースの回転方向前側となるティース（８１）の前端（８１ａ）が回転方向前側となる前記延長部の弱磁束部に配置され、
前記延長部に磁性金属（４３，４４，５３，５４）を配置したことを特徴とする直流機。
【請求項２】
請求項１に記載の直流機において、
前記磁性金属は、前記弱磁束部を起点として周方向外側に向かって横断面積が漸減することを特徴とする直流機。
【請求項３】
請求項１又は２に記載の直流機において、
前記延長部は、該延長部の横断面積を前記主磁束部の各端部において略最小にするとともに周方向外側に向かって漸増する切欠き（４１，４２，５１，５２）を有し、該延長部の磁束分布は該切欠きにて形成されたことを特徴とする直流機。
【請求項４】
請求項３に記載の直流機において、
前記磁性金属は、前記切欠きに埋設して配置されたことを特徴とする直流機。
【発明の詳細な説明】
【０００１】
【発明の属する技術分野】
本発明は、両方向の回転用途に供せられる直流機に関するものである。
【０００２】
【従来の技術】
従来、ブラシとコンミテータとマグネットとを備えた直流モータ（直流機）では、ブラシとコンミテータで電機子コイルに通電している状態の方向を切り替える（いわゆる整流）構成であるが、多くの場合、切り替え時の最終時点で突然切り替わる現象（整流不足）が発生している。
【０００３】
この整流不足を解決するために、本出願人は、マグネットの磁束（密度）分布を変えることで整流中の電機子コイルを通過する磁束量を変え、整流が改善できように構成したものを先に提案している（例えば、特願平１１−２７０５６６号）。
【０００４】
【発明が解決しようとする課題】
ところが、先に提案された構成で使用されるマグネットの磁束分布は、一方向の回転用途にのみ供せられる直流モータを前提に提案されたものであった。従って、両方向の回転用途に供せられる直流モータに対しては、良好な整流を保つことが困難となっていた。
【０００５】
本発明の目的は、両方向の回転においてそれぞれ良好な整流を行うことができる直流機を提供することにある。
【０００６】
【課題を解決するための手段】
上記問題点を解決するために、請求項１に記載の発明は、略等角度間隔に設けられた複数のティースを有する電機子コアに電機子コイルを巻装して構成される両方向回転用の電機子と、該電機子を挟んで該電機子の発生する磁界の方向と略直交する方向に対向配置されたマグネットとを備え、整流中にブラシでコンミテータの整流子片を短絡して該電機子コイルの電流方向が反転する直流機において、前記マグネットは、磁束密度が略均一な主磁束部と、該主磁束部の各端部から周方向一側及び他側にそれぞれ延出形成され該端部において弱磁束部を有するとともに周方向外側に向かって磁束が漸増する延長部とを有し、各回転方向において整流開始時に当該整流に係る電機子コイルが巻装されるティースの回転方向前側となるティースの前端が回転方向前側となる前記延長部の弱磁束部に配置され、前記延長部に磁性金属を配置したことを要旨とする。
【０００７】
請求項２に記載の発明は、請求項１に記載の直流機において、前記磁性金属は、前記弱磁束部を起点として周方向外側に向かって横断面積が漸減することを要旨とする。
【０００８】
請求項３に記載の発明は、請求項１又は２に記載の直流機において、前記延長部は、該延長部の横断面積を前記主磁束部の各端部において略最小にするとともに周方向外側に向かって漸増する切欠きを有し、該延長部の磁束分布は該切欠きにて形成されたことを要旨とする。
【０００９】
請求項４に記載の発明は、請求項３に記載の直流機において、前記磁性金属は、前記切欠きに埋設して配置されたことを要旨とする。
（作用）
電機子の回転時には、電機子コイルのインダクタンスにより電流を妨げる向きのリアクタンス電圧が同電機子コイルに発生する。一方、電機子の回転に伴って整流中の電機子コイルを通過する磁束量が変化すると、その変化によって逆起電力である誘起電圧が発生する。
【００１０】
請求項１又は３に記載の発明によれば、上記マグネットは、磁束密度が略均一な主磁束部と、同主磁束部の各端部から周方向一側及び他側にそれぞれ延出形成された延長部とを有している。各延長部は、主磁束部の端部において弱磁束部を有するとともに周方向外側に向かって磁束が漸増する。そして、各回転方向において整流開始時に当該整流に係る電機子コイルが巻装されるティースの回転方向前側となるティースの前端が、回転方向前側となる延長部の弱磁束部に配置されるようになっている。ここで、上記マグネットは電機子の発生する磁界の方向と略直交する方向に対向配置されているため、電機子の発生する磁界により、回転方向前側となる延長部に配置された磁性金属は同延長部を減磁する方向に磁化される。従って、電機子の回転に伴い回転方向前側となる上記減磁された延長部によって、整流中の電機子コイルを通過する磁束量がより顕著に漸増し、上記誘起電圧も整流開始時から漸増する。この誘起電圧は、上記リアクタンス電圧を打ち消すように作用する。
【００１１】
一方、各回転方向において回転方向後側となる延長部に配置された磁性金属は、電機子の発生する磁界により、同延長部を増磁する方向に磁化される。従って、この磁性金属は、回転方向後側となる延長部の本来の磁束分布（弱磁束部での磁束減少）を補充する。従って、回転方向後側となる延長部による整流中の電機子コイルを通過する磁束量の本来の変動は抑制される。
【００１２】
以上により、各回転方向において電機子の回転に伴う整流中の電機子コイルを通過する全体としての磁束量の変化は、回転方向前側となる延長部によるものが（回転方向後側となる延長部によるものに比して）支配的になる。すなわち、電機子の回転に伴って整流中の電機子コイルを通過する磁束量が漸増し、電機子コイルのインダクタンスの影響によるリアクタンス電圧を打ち消す誘起電圧のみが発生され、各回転方向においてそれぞれ整流が改善される。
【００１３】
請求項２に記載の発明によれば、磁性金属は、弱磁束部を起点として周方向外側に向かって横断面積が漸減するため、電機子の発生する磁界により弱磁束部側ほど大きく、周方向外側に向かって減少するように磁化される。従って、電機子の発生する磁界により、各回転方向において回転方向前側となる延長部に配置された磁性金属は、同延長部の弱磁束部側ほど大きく減磁する方向に磁化される。このため、電機子の回転に伴い回転方向前側となる上記減磁された延長部によって、整流中の電機子コイルを通過する磁束量が更に顕著に漸増し、上記リアクタンス電圧を打ち消すより好適な誘起電圧が発生する。
【００１４】
一方、電機子の発生する磁界により、各回転方向において回転方向後側となる延長部に配置された磁性金属は、同延長部の弱磁束部側ほど大きく増磁する方向に磁化される。従って、回転方向後側となる延長部の本来の磁束分布（弱磁束部側ほど磁束減少）をより好適に補充し、同延長部による整流中の電機子コイルを通過する磁束量の変動は略皆無とされる。
【００１５】
以上により、電機子の回転に伴って整流中の電機子コイルを通過する磁束量がより顕著に漸増し、電機子コイルのインダクタンスの影響によるリアクタンス電圧を打ち消すより好適な誘起電圧のみが発生され、各回転方向においてそれぞれ整流が更に改善される。
【００１６】
請求項４に記載の発明によれば、上記磁性金属は、切欠きに埋設して配置されることで、これによる容積確保などの制約は抑制される。
【００１７】
【発明の実施の形態】
以下、本発明を直流機としての自動車用小型モータに具体化した一実施形態を図面に従って説明する。なお、図１は、直流機としての自動車用小型モータ（以下、「小型モータ１」という）の概略構造を示す部分断面図である。
【００１８】
図１に示すように、小型モータ１は、マグネット２，３、電機子４、ブラシ５ａ，５ｂ及び回転軸６等を有している。
詳述すると、本実施形態の小型モータ１は、２極の直流モータであって、軟鉄製のモータハウジング（ヨーク）７の湾曲した内側面において、Ｎ極及びＳ極を形成する断面円弧状の２つのマグネット（例えば、フェライト磁石）２，３が電機子４を挟んで対向配置されている。２つのマグネット２，３は、電機子４の中心点Ｏに対して点対称に配置されている。電機子４は、電機子コア８と、その電機子コア８に巻装される電機子コイル（巻線）９ａ，９ｂと、コンミテータ（整流子）１０とを有している。同図において、電機子コイル９ａ，９ｂも中心点Ｏに対して点対称に配置されている。そして、電機子４は、供給される直流電流の方向を切り替えることにより時計回り方向（図１においてＣＷ方向）及び反時計回り方向（図１においてＣＣＷ方向）のいずれにも回転駆動されるようになっている。
【００１９】
電機子コア８には、等間隔に断面略Ｔ字状の複数（本実施形態では１２個）のティース８ａが形成されており、そのうちのｎ個（本実施形態では４個）のティース８ａを１組としてその周囲に上記電機子コイル９ａ，９ｂが巻き付けられている。図示を省略しているが、複数の他の電機子コイルがｎ個（４個）のティース８ａを１組として同様に巻き付けられている。つまり、巻線の巻装方式は分布巻である。なお、本実施形態では、ティース８ａの個数は１２個であり、同ティース８ａは電機子４の周方向に３０°ごとに形成されている。つまり、隣り合うティース８ａは、その中心線のなす角が３０°（＝３６０°／１２）となるように形成されている。
【００２０】
コンミテータ１０は、電機子４の一端に配置され、複数（１２個）の整流子片１１を有して構成されている。そして、図１及び図２に示すように、隣り合う整流子片１１ａ，１１ｂ間は前記電機子コイル９ａにて結線され、隣り合う整流子片１１ｃ，１１ｄ間は前記電機子コイル９ｂにて結線されている。なお、上記整流子片１１ｂに隣接する整流子片１１ｂと反対側は整流子片１１ｅとなっており、整流子片１１ｄに隣接する整流子片１１ｃと反対側は整流子片１１ｆとなっている。これら隣り合う整流子片１１ｂ，１１ｅ間、整流子片１１ｄ，１１ｆ間も、それぞれ図示しない電機子コイルにて結線されている。図１において、中心点Ｏを基準とし、整流子片１１ａ，１１ｂ，１１ｅの点対称となる位置に整流子片１１ｃ，１１ｄ，１１ｆが配置されている。そして、各整流子片１１間のスリットは、各ティース８ａ間の略中間に位置するようになっている。また、ブラシ５ａ，５ｂがコンミテータ１０に摺接するように付勢された状態で配設されている。電機子コイル（９ａ，９ｂ）には、図示しない直流電源から供給される直流電流が、ブラシ５ａ，５ｂとコンミテータ１０の各対応する整流子片（１１ａ，１１ｂ，１１ｃ，１１ｄ）を経て流入されるようになっている。ブラシ５ａ，５ｂは整流子片１１と略同等の角度を有し、回転方向に応じて短絡する整流子片１１の位置が切り替わるような配置になっている。すなわち、図１においてＣＷ方向ならそれぞれブラシ５ａ，５ｂと整流子片１１ａ，１１ｂ間、整流子片１１ｃ，１１ｄ間とが短絡し、ＣＣＷ方向ならそれぞれブラシ５ａ，５ｂと整流子片１１ｂ，１１ｅ間、整流子片１１ｄ，１１ｆ間とが短絡する。
【００２１】
例えば、電機子４がＣＷ方向に回転すると、図２に示すように、ブラシ５ａにより整流子片１１ａ，１１ｂ間が短絡されて電機子コイル９ａには短絡電流ｉ１が流れ、ブラシ５ｂにより整流子片１１ｃ，１１ｄ間が短絡されて電機子コイル９ｂには短絡電流ｉ２が流れる。ここで、ブラシ５ａは直流電源のプラス端子（＋）に接続され、ブラシ５ｂは直流電源のマイナス端子（−）に接続されている。このブラシ５ａ，５ｂによる短絡中に、電機子コイル９ａ，９ｂに流れる電流の向きが変更されて、電機子４が時計回り方向（図１のＣＷ方向）に回転するようになっている。そして、その回転力が電機子４の中央部から延設された回転軸６を介して外部に伝達される。なお、本実施形態では、図１に示すように、１２個の整流子片１１が周方向に３０°ごとに設けられており、電機子４がブラシ５ａ，５ｂに対して３０°回転するとき、電機子コイル９ａ，９ｂの電流の向きが変更される。つまり、電機子４の３０°の回転によって電機子コイル９ａ，９ｂの整流が行われる。
【００２２】
ちなみに、ブラシ５ａ，５ｂが接続される直流電源の極性を切り替えることで、すなわち図２においてブラシ５ａが直流電源のマイナス端子（−）に接続され、ブラシ５ｂが直流電源のプラス端子（＋）に接続されることで、電機子４が反時計回り方向（図１のＣＣＷ方向）に回転するのはいうまでもない。
【００２３】
図１に示すように、本実施形態のマグネット２，３は、それぞれ主磁束部２ａ，３ａと、同主磁束部２ａ，３ａの一側（図１においてＣＷ方向側）端部（以下、延長開始点２ｄ，３ｄという）に設けた延長部２ｂ，３ｂと、同他側（図１においてＣＣＷ方向側）端部（以下、延長開始点２ｅ，３ｅという）に設けた延長部２ｃ，３ｃとを備えている。主磁束部２ａ，３ａは、一般の直流モータに配設されるマグネットに相当する部分である。そして、延長部２ｂ，３ｂ及び延長部２ｃ，３ｃは、それぞれ上記主磁束部２ａ，３ａの一側（図１においてＣＷ方向側）及び他側（図１においてＣＣＷ方向側）の各端部に延出形成されている。
【００２４】
主磁束部２ａ，３ａは、電機子コイルが巻装される４つのティース８ａのうち一側及び他側（図１においてＣＷ方向側及びＣＣＷ方向側）に配置されるティース８ａの中心線間の角度（＝９０°）に対応した長さとなるように形成されている。そして、電機子コイル９ａ，９ｂが巻装される４つのティース８ａの一端及び他端のなす角度は、主磁束部２ａ，３ａ及び一方の延長部２ｂ，３ｂ（又は延長部２ｃ，３ｃ）のなす角度に略一致するように設定されている。
【００２５】
図５に示すように、本実施形態におけるマグネット２，３の各延長部２ｂ，２ｃ，３ｂ，３ｃの軸線方向一側（図５の下側）には、同他側（図５の上側）に向かって穿設された切欠き４１，４２が形成されている。この切欠き４１，４２の上記軸線方向への深さは、上記延長部開始点２ｄ，２ｅ，３ｄ，３ｅにおいて最深部となり、周方向外側に向かって徐々に浅くなるように略円弧を描くように設定されている。換言すると、この切欠き４１，４２は、マグネット２，３の各延長部２ｂ，２ｃ，３ｂ，３ｃの横断面積Ａ１を上記主磁束部２ａ，３ａの各端部（延長部開始点２ｄ，２ｅ，３ｄ，３ｅ）において略最小にするとともに周方向外側に向かって漸増する。
【００２６】
マグネット２，３は、図示しない着磁装置を用いて略均一に磁化されているが、上記延長部２ｂ，２ｃ，３ｂ，３ｃにこのような切欠き４１，４２を形成したことで上記横断面積Ａ１が漸増する分、図１及び図６の磁束密度分布Ｂ２，Ｂ３を示すようになる。つまり、周方向に略一定の磁束密度Ｂ２０，Ｂ３０を有する主磁束部２ａ，３ａに対して、各延長部開始点２ｄ，２ｅ，３ｄ，３ｅ近傍部分での磁束密度が弱められ、図１に示す磁束密度分布Ｂ２，Ｂ３となるように磁束変化を持たせている。本実施形態のマグネット２，３では、各延長部開始点２ｄ，２ｅ，３ｄ，３ｅに対応する部位がそれぞれ磁束密度の極小値Ｂ２１，Ｂ２２，Ｂ３１，Ｂ３２となる弱磁束部としての磁束極小部である。そして、マグネット２，３の磁束極小部よりも周方向先端側の部位がそれぞれ磁束密度の極大値Ｂ２３，Ｂ２４，Ｂ３３，Ｂ３４となる磁束極大部である。すなわち、各延長部２ｂ，２ｃ，３ｂ，３ｃは、これら磁束極小部及び磁束極大部との間で周方向外側に向かって磁束密度が漸増するようになっている。
【００２７】
図５に示すように、上記延長部２ｂ，２ｃ，３ｂ，３ｃには、上記切欠き４１，４２に埋設される態様でそれぞれ磁性金属４３，４４が配置されている。この磁性金属４３，４４は、強磁性体（高透磁率材料）である、例えば軟鉄にて形成されている。なお、磁性金属４３，４４は、上記態様で形成された切欠き４１，４２に埋設されることから、磁束極小部（延長部開始点２ｄ，２ｅ，３ｄ，３ｅ）を起点として周方向外側に向かってその横断面積Ａ２が漸減する。
【００２８】
ここで、上記マグネット２，３の配置に対して電機子４が発生する磁界の極性及び同磁界により磁化される磁性金属４３，４４の極性について図３及び図４を参照して説明する。なお、図３は小型モータ１のマグネット２，３が対抗配置される径方向をｙ軸として定義し、ｙ軸に直交する径方向をｘ軸として定義し、このｘｙ平面にて定義される第１象限〜第４象限を示したものである。また、図４はこの小型モータ１（電機子４）が時計回り方向（図３においてＣＷ方向）に回転駆動されているとして各象限でのマグネット２，３による極性、電機子４が発生する磁界の極性及び同磁界により磁化される磁性金属４３，４４の極性をそれぞれ示す一覧図である。
【００２９】
同図から明らかなように、第１及び第２象限ではマグネット２によりＮ極となり、第３及び第４象限ではマグネット３によりＳ極となる。また、ブラシ５ａ，５ｂがマグネット２，３の対向方向（すなわち、ｙ軸方向）に配置され、整流中の電機子コイルが同方向に対向配置される。このことから、電機子４がＣＷ方向に回転駆動されているとき、電機子４が発生する磁界（電機子コイルに流れる電流全体として発生する磁界）の極性は第１及び第４象限ではＮ極となり、第２及び第３象限ではＳ極となる。換言すると、マグネット２，３は、電機子４を挟んで同電機子４の発生する磁界の方向と略直交する方向に対向配置されている。そして、上記磁性金属４３，４４はこの電機子４が発生する磁界と逆極性で磁化されることから、第１及び第４象限ではＳ極となり、第２及び第３象限ではＮ極となる。
【００３０】
換言すると、電機子４がＣＷ方向に回転駆動されているとき、電機子４の発生する磁界により、回転方向前側となる延長部２ｂ，３ｂに配置された磁性金属４３は同延長部２ｂ，３ｂを減磁する方向に磁化される。一方、回転方向後側となる延長部２ｃ，３ｃに配置された磁性金属４４は、電機子４の発生する磁界により、同延長部２ｃ，３ｃを増磁する方向に磁化される。
【００３１】
既述のように、磁性金属４３，４４は、磁束極小部（延長部開始点２ｄ，２ｅ，３ｄ，３ｅ）を起点として周方向外側に向かってその横断面積Ａ２が漸減する。このため、磁性金属４３，４４は、電機子４の発生する磁界により磁束極小部側ほど大きく、周方向外側に向かって減少するように磁化される。従って、電機子４の発生する磁界により、回転方向前側となる延長部２ｂ，３ｂに配置された磁性金属４３は、同延長部２ｂ，３ｂの磁束極小部側ほど大きく減磁する方向に磁化される。一方、回転方向後側となる延長部２ｃ，３ｃに配置された磁性金属４４は、同延長部２ｃ，３ｃの磁束極小部側ほど大きく増磁する方向に磁化される。
【００３２】
次に、このように構成された小型モータ１の動作について図６に基づき更に詳述する。図６は、電機子４（電機子コア８）がＣＷ方向に回転駆動されているとして整流子片１１ａ，１１ｂ間（整流子片１１ｃ，１１ｄ間）における整流開始時、すなわちブラシ５ａ，５ｂが回転方向後側の整流子片１１ａ，１１ｃに接触し始めるときのティース８ａ及びマグネット２，３の磁束密度分布の位置関係を示す説明図である。なお、図３にはマグネット２，３の磁束密度分布（磁束量）に対応させてティース８ａの回転角度及びそのときの電機子コイル９ａ，９ｂに発生する総磁束量Φとの関係を併せ示している。なお、総磁束量Φは、マグネット２，３による磁束量、電機子コイル９ａ，９ｂに流れる電流による磁束量、及び磁性金属４３，４４の着磁に基づく磁束量を合計したものとなっている。同図においては、当該電機子コイル９ａ，９ｂに係るティース８ａを便宜的に回転方向先頭側（前側）から順番にティース８１，８２，８３，８４と記す。
【００３３】
既述のように、電機子４の発生する磁界により、回転方向前側となる延長部２ｂ，３ｂに配置された磁性金属４３は、同延長部２ｂ，３ｂの磁束極小部側ほど大きく減磁する方向に磁化される。従って、上記延長部２ｂ，３ｂは、前記磁束極小部においてマグネット２，３のみでの本来の極小値Ｂ２１，Ｂ３１よりも著しく低減された極小値Ｂ４１を有することになる。そして、各延長部２ｂ，３ｂは、これら磁束極小部及び前記磁束極大部との間で周方向外側に向かって磁束密度がより顕著に漸増するようになっている。
【００３４】
一方、回転方向後側となる延長部２ｃ，３ｃに配置された磁性金属４４は、同延長部２ｃ，３ｃの磁束極小部側ほど大きく増磁する方向に磁化される。従って、上記延長部２ｃ，３ｃは、前記磁束極小部においてマグネット２，３のみでの本来の極小値Ｂ２２，Ｂ３２が好適に補充され、同延長部２ｃ，３ｃでの磁束密度の変動は略皆無とされている。
【００３５】
ここで、整流開始時では、ティース８１の回転方向先頭側の端部（前端）８１ａの位置が極小値Ｂ４１（延長部開始点２ｄ，３ｄ）に配置されるように設定されている。従って、マグネット２，３の磁束密度が極小値Ｂ４１〜極大値Ｂ２３，Ｂ３３の分布特性を有することで整流中は電機子４の回転に伴って電機子コイル９ａ，９ｂを通過する磁束量はその分増加（漸増）するようになっている。
【００３６】
一方、この整流開始時において、ティース８４は回転方向後側となる延長部２ｃ，３ｃの近傍に配置されるが、同延長部２ｃ，３ｃでの磁束密度の変動は略皆無であるため、この場合での電機子コイル９ａ，９ｂを通過する磁束量への影響は抑制される。
【００３７】
以上により、整流中では一方の磁束密度の分布特性（極小値Ｂ４１〜極大値Ｂ２３，Ｂ３３）が支配的になって、ＣＷ方向に回転駆動されているときの整流期間での総磁束量Φは、図３の実線にて示されるようになる。すなわち、電機子コイル９ａ，９ｂのインダクタンスＬの影響によるリアクタンス電圧（Ｌ・ｄｉ／ｄｔ）を打ち消す誘起電圧のみが発生され、当該回転方向において整流が改善されるようになっている。つまり、マグネット２，３は、実質的に延長部開始点２ｄ，３ｄを起点とする磁束密度の増加領域（極小値Ｂ４１〜極大値Ｂ２３，Ｂ３３）のみを有することによりリアクタンス電圧（Ｌ・ｄｉ／ｄｔ）を打ち消す誘起電圧（−ｄΦ／ｄｔ）のみを発生させている。
【００３８】
なお、上記においては電機子４（電機子コア８）がＣＷ方向に回転駆動される場合について説明したが、ＣＣＷ方向に回転駆動される場合についても同様であるためその説明は割愛する。このときの整流期間での総磁束量Φは、図３の破線にて示されるようになる。
【００３９】
以上により、各回転方向において電機子コイル９ａ，９ｂの整流期間中は総磁束量Φが増加し、良好な整流が実現される。
以上詳述したように、本実施形態によれば、以下に示す効果が得られるようになる。
【００４０】
（１）本実施形態では、上記マグネット２，３は、磁束密度が略均一な主磁束部２ａ，３ａと、同主磁束部２ａ，３ａの各端部から周方向一側及び他側にそれぞれ延出形成された延長部２ｂ，２ｃ，３ｂ，３ｃとを有している。各延長部２ｂ，２ｃ，３ｂ，３ｃは、主磁束部２ａ，３ａの端部において磁束極小部を有するとともに周方向外側に向かって磁束が漸増する。そして、各回転方向において整流開始時に当該整流に係る電機子コイル９ａ，９ｂが巻装されるティース８ａの回転方向前側となるティース８１の前端８１ａが、回転方向前側となる延長部２ｂ，２ｃ，３ｂ，３ｃの磁束極小部に配置されるようになっている。ここで、上記マグネット２，３は電機子４の発生する磁界の方向と略直交する方向に対向配置されているため、電機子４の発生する磁界により、回転方向前側となる延長部２ｂ，２ｃ，３ｂ，３ｃに配置された磁性金属４３，４４は同延長部２ｂ，２ｃ，３ｂ，３ｃを減磁する方向に磁化される。従って、電機子４の回転に伴い回転方向前側となる上記減磁された延長部２ｂ，２ｃ，３ｂ，３ｃによって整流中の電機子コイル９ａ，９ｂを通過する磁束量がより顕著に漸増し、これによる誘起電圧も整流開始時から漸増する。この誘起電圧は、電機子コイル９ａ，９ｂのインダクタンスＬによるリアクタンス電圧を打ち消すように作用する。
【００４１】
一方、各回転方向において回転方向後側となる延長部２ｂ，２ｃ，３ｂ，３ｃに配置された磁性金属４３，４４は、電機子４の発生する磁界により、同延長部２ｂ，２ｃ，３ｂ，３ｃを増磁する方向に磁化される。従って、この磁性金属４３，４４は、回転方向後側となる延長部の本来の磁束分布（弱磁束部での磁束減少）を補充する。従って、回転方向後側となる延長部２ｂ，２ｃ，３ｂ，３ｃによる整流中の電機子コイル９ａ，９ｂを通過する磁束量の本来の変動は抑制される。
【００４２】
以上により、各回転方向において電機子４の回転に伴う整流中の電機子コイル９ａ，９ｂを通過する全体としての磁束量の変化は、回転方向前側となる延長部２ｂ，２ｃ，３ｂ，３ｃによるものが（回転方向後側となる延長部によるものに比して）支配的になる。すなわち、電機子４の回転に伴って整流中の電機子コイル９ａ，９ｂを通過する磁束量が漸増し、電機子コイル９ａ，９ｂのインダクタンスＬの影響によるリアクタンス電圧を打ち消す誘起電圧のみが発生し、各回転方向においてそれぞれ整流を改善できる。
【００４３】
（２）本実施形態では、磁性金属４３，４４は、磁束極小部を起点として周方向外側に向かって横断面積Ａ２が漸減するため、電機子４の発生する磁界により磁束極小部側ほど大きく、周方向外側に向かって減少するように磁化される。従って、電機子４の発生する磁界により、各回転方向において回転方向前側となる延長部２ｂ，２ｃ，３ｂ，３ｃに配置された磁性金属４３，４４は、同延長部２ｂ，２ｃ，３ｂ，３ｃの磁束極小部側ほど大きく減磁する方向に磁化される。このため、電機子４の回転に伴い回転方向前側となる上記減磁された延長部２ｂ，２ｃ，３ｂ，３ｃによって、整流中の電機子コイル９ａ，９ｂを通過する磁束量が更に顕著に漸増し、上記リアクタンス電圧を打ち消すより好適な誘起電圧が発生する。
【００４４】
一方、電機子４の発生する磁界により、各回転方向において回転方向後側となる延長部２ｂ，２ｃ，３ｂ，３ｃに配置された磁性金属４３，４４は、同延長部２ｂ，２ｃ，３ｂ，３ｃの磁束極小部側ほど大きく増磁する方向に磁化される。従って、回転方向後側となる延長部２ｂ，２ｃ，３ｂ，３ｃの本来の磁束分布（磁束極小部側ほど磁束減少）をより好適に補充し、同延長部２ｂ，２ｃ，３ｂ，３ｃによる整流中の電機子コイル９ａ，９ｂを通過する磁束量の変動は略皆無とされる。
【００４５】
以上により、電機子４の回転に伴って整流中の電機子コイル９ａ，９ｂを通過する磁束量がより顕著に漸増し、電機子コイル９ａ，９ｂのインダクタンスＬの影響によるリアクタンス電圧を打ち消すより好適な誘起電圧のみが発生され、各回転方向においてそれぞれ整流を更に改善できる。
【００４６】
（３）本実施形態では、磁性金属４３，４４は、切欠き４１，４２に埋設して配置されることで、これによる容積確保などの制約を抑制できる。
（４）本実施形態では、２つのマグネット２，３にて最小限の極数（Ｎ極及びＳ極）を有する極めて簡易な構成にできる。
【００４７】
なお、本発明の実施の形態は上記実施形態に限定されるものではなく、次のように変更してもよい。
・前記実施形態においては、磁性金属４３，４４を軟鉄にて形成したが、その他の強磁性体にて形成してもよい。
【００４８】
・前記実施形態においては、電機子コア８の４個のティース８ａを１組としてその周囲に電機子コイル９ａ，９ｂを巻き付けた電機子４とした。これに対して、その他の複数個のティース８ａを１組としてその周囲に電機子コイル９ａ，９ｂを巻き付けた電機子４としてもよい。
【００４９】
・前記実施形態においては、電機子コア８に１２個のティース８ａを設けたが、その他の個数のティースを設けてもよい。
・前記実施形態においては特に言及していないが、電機子４の回転に伴って整流中の電機子コイル９ａ，９ｂを通過する磁束量が全体として漸増し、電機子コイル９ａ，９ｂのインダクタンスの影響によるリアクタンス電圧を打ち消す誘起電圧のみが発生されればよい。このため、点対称位置で互いに同様の整流がそれぞれ行われることから、マグネット２，３の各磁束密度の大きさは互いに異なっていてもよい。そして、各マグネット２，３（延長部２ｂ，２ｃ，３ｂ，３ｃ）に設けられる磁性金属４３，４４の大きさも互いに異なっていてもよい。例えば、図７に示すように、一方のマグネット２の延長部２ｂ，２ｃにのみ、切欠き４１，４２を形成して磁性金属４３，４４を埋設するようにしてもよい。このように変更をしても前記実施形態と同様の効果が得られる。
【００５０】
・前記実施形態においては、延長部２ｂ，２ｃ，３ｂ，３ｃの軸線方向一側にのみ切欠き４１，４２を設けた。これに対して、延長部２ｂ，２ｃ，３ｂ，３ｃの軸線方向両側にそれぞれ同様の切欠きを設けてもよい。また、図８に示すように、例えば各延長部開始点２ｄ，２ｅ，３ｄ，３ｅを最薄肉部として延長部２ｂ，２ｃ，３ｂ，３ｃの肉厚（径方向の厚さ）を周方向外側に漸増させる切欠き５１，５２を設けて同様の磁束分布を形成してもよい。そして、この場合においても、切欠き５１，５２に対して磁性金属５３，５４を埋設（配置）する。このように変更をしても前記実施形態と同様の効果が得られる。
【００５１】
・前記実施形態においては、延長部２ｂ，２ｃ，３ｂ，３ｃに切欠き４１，４２を設けることでその磁束分布を上述の態様に形成した。これに対して、切欠き４１，４２は必ずしも必要ではなく、例えば同様の磁束分布を着磁装置にて形成してもよい。すなわち、各延長部開始点２ｄ，２ｅ，３ｄ，３ｅの近傍部分の着磁の強弱を着磁装置により変化させて同様の磁束分布を形成してもよい。
【００５２】
・前記実施形態においては、２つのマグネット２，３を使用した２極の小型モータ１に適用するものであったが、これ以外に４極の直流モータ等の多極直流モータに適用してもよい。この場合、全てのマグネットについて同様の主磁束部及び延長部を設けることが好ましい。このように変更をしても前記実施形態の（１）〜（３）と同様の効果が得られる。
【００５３】
・前記実施形態においては、直流機としての小型モータ１に具体化したが、例えば直流発電機に具体化してもよい。このように変更をしても前記実施形態と同様の効果が得られる。
【００５４】
次に、以上の実施形態から把握することができる請求項以外の技術的思想を、その効果とともに以下に記載する。
（イ）請求項１〜４のいずれか１項に記載の直流機において、各整流に係る電機子コイルが巻装される前記ティースの一端及び他端のなす角度は、前記主磁束部及び一方の延長部のなす角度に略一致することを特徴とする直流機。
【００５５】
（ロ）請求項１〜３及び上記（イ）のいずれか１項に記載の直流機において、前記マグネットは２つであることを特徴とする直流機。同構成によれば、最小限の極数（Ｎ極及びＳ極）を有する極めて簡易な構成とされる。
【００５６】
【発明の効果】
以上詳述したように、請求項１〜３のいずれか１項に記載の発明によれば、両方向の回転においてそれぞれ良好な整流を行うことができる。
【００５７】
請求項４に記載の発明によれば、磁性金属は、切欠きに埋設して配置されることで、これによる容積確保などの制約を抑制できる。
【図面の簡単な説明】
【図１】本発明の一実施形態を示す部分断面図。
【図２】整流を説明するための回路図。
【図３】各象限を定義する図。
【図４】各象限における極性を示す一覧図。
【図５】マグネット及び磁性金属を示す斜視図。
【図６】整流開始時でのティースとマグネットの磁束密度との位置関係等を示す説明図。
【図７】同実施形態の別例を示す部分断面図。
【図８】同実施形態の別例を示す部分断面図。
【符号の説明】
２，３…マグネット、２ａ，３ａ…主磁束部、２ｂ，２ｃ，３ｂ，３ｃ…延長部、４…電機子、５ａ，５ｂ…ブラシ、８…電機子コア、８ａ，８１〜８４…ティース、９ａ，９ｂ…電機子コイル、１０…コンミテータ、１１ａ−１１ｆ…整流子片、４１，４２，５１，５２…切欠き、４３，４４，５３，５４…磁性金属、８１ａ…前端。
【図１】
0003706057.tif 000002
【図２】
0003706057.tif 000003
【図３】
0003706057.tif 000004
【図４】
0003706057.tif 000005
【図５】
0003706057.tif 000006
【図６】
0003706057.tif 000007
【図７】
0003706057.tif 000008
【図８】
0003706057.tif 000009